(57)【要約】【課題】ハンマーのみを使用してメッシュシートを足場鋼管の側面に、効率良く張設することができるシート用クランプを提供する。【解決手段】鋼管クランプ１のクランプ本体２の外側に、シート用フック１が固定される。クランプ蓋３を開閉可能に軸支する枢支ピン６と反対側のクランプ本体２の他端部に締付ロッド４が枢軸７を介して揺動可能に枢支される。締付ロッド４には、長孔１０ａを有する楔部材１０が長孔に締付ロッド４を嵌挿させて移動可能に設けられる。締付ロッド４の先端には楔部材１０を係止する係止部５が取り付けられる。クランプ蓋３とクランプ本体２間に鋼管を挟み込み、クランプ蓋３を閉じて、締付ロッド４をクランプ蓋３の二股開口部３ａに嵌入した状態で、楔部材１０をクランプ蓋３の先端部と係止部５間に打ち込み、鋼管クランプ１を鋼管に対し締付固定する。【選択図】図１
0003174890.tif 000002
【実用新案登録請求の範囲】
【請求項１】
仮設足場の鋼管にクランプされる鋼管クランプを有し、該鋼管クランプとシート用フックを用いてメッシュシートを仮設足場に取り付けるシート用クランプであって、
該鋼管クランプのクランプ本体は、鋼板をプレスにより曲げ加工して形成され、該クランプ本体の内側には、鋼管の外周面曲率に対応した曲率の円弧状側壁が形成され、該円弧状側壁の一方の端部に枢支ピンが軸支され、クランプ蓋が該枢支ピンを介して該クランプ本体に対し開閉可能に軸支され、
該鋼管クランプのクランプ本体の外側に、該シート用フックが固定され、該クランプ蓋を開閉可能に軸支する該枢支ピンと反対側の該クランプ本体の他端部に締付ロッドが枢軸を介して揺動可能に枢支され、該締付ロッドには、長孔を有する楔部材が該長孔に該締付ロッドを嵌挿させて移動可能に設けられ、該締付ロッドの先端には該楔部材を保持する係止部が設けられ、
該クランプ蓋と該クランプ本体間に鋼管を挟み込み、該クランプ蓋を閉じて、該締付ロッドを該クランプ蓋の二股開口部に嵌入した状態で、該楔部材を該クランプ蓋の先端部と該係止部間に打ち込み、該鋼管クランプを鋼管に対し締付固定することを特徴とするシート用クランプ。
【請求項２】
前記シート用フックはコ字状に曲折された線材の先端を上側に略直角に曲折して形成されたことを特徴とする請求項１記載のシート用クランプ。
【請求項３】
前記楔部材は、長手方向に沿って前記長孔が形成されるとともに、該長手方向に沿って傾斜面が形成されたことを特徴とする請求項１記載のシート用クランプ。
【請求項４】
前記締付ロッドの先端に設けられる係止部は、該締付ロッドの先端部のみにねじ部を形成してナットをその先端部にねじ込み、その先端を潰して係止されたことを特徴とする請求項１記載のシート用クランプ。
【考案の詳細な説明】
【技術分野】
【０００１】
本考案は、建築工事現場、土木工事現場などで使用される仮設足場において、仮設足場の周囲側部を覆うように張設されるメッシュシート用のシート用クランプに関する。
【背景技術】
【０００２】
鋼管を用いて建築工事現場などに組み立てられる仮設足場には、周知のように仮設足場の周囲の側面を覆うメッシュシートが張設される場合がある。メッシュシートは、所定の大きさの方形に形成され、その周縁部に取付孔が所定間隔で穿設され、それらの取付孔を利用して、メッシュシートは、仮設足場の周囲側部を覆うように足場の側面に張設される。
【先行技術文献】
【特許文献】
【０００３】
【特許文献１】登録実用新案第３０１３５３８号公報
【考案の概要】
【考案が解決しようとする課題】
【０００４】
しかしながら、仮設足場の側面を覆うメッシュシートを取り付けるためのシート用クランプは、従来、専用のクランプはなく、針金を用いて取り付けて張設したり、或いは上記特許文献１などに記載されるような、ネットハンガーを用いて側面に張設している。
【０００５】
このため、仮設足場を形成する足場鋼管の側面に、メッシュシートを安全に取り付けることが難しい場合があり、特に、足場鋼管を組立固定する際の鋼管クランプが、ボルト締めタイプではなく、楔打ち込みタイプの鋼管クランプを使用する場合、足場を組み立てる作業者は、ハンマーのみを持って、組立作業を行なう。このために、メッシュシートを仮設足場の側面に効率良く安全に張設することが難しく、現場において、ボルト・ナットを締め付けるレンチを使用せずに、ハンマーによる楔打ち込みのみによって、シート用クランプを適当な足場鋼管の位置に固定しながら、ハンマーのみを使用してメッシュシートの張設を行なうことが可能なシート用クランプが要望されていた。
【０００６】
本考案は、上述の課題を解決するものであり、ハンマーのみを使用してメッシュシートを足場鋼管の側面に、効率良く張設することができるシート用クランプを提供することを目的とする。
【課題を解決するための手段】
【０００７】
本考案の請求項１のシート用クランプは、
仮設足場の鋼管にクランプされる鋼管クランプを有し、該鋼管クランプとシート用フックを用いてメッシュシートを仮設足場に取り付けるシート用クランプであって、
該鋼管クランプのクランプ本体は、鋼板をプレスにより曲げ加工して形成され、該クランプ本体の内側には、鋼管の外周面曲率に対応した曲率の円弧状側壁が形成され、該円弧状側壁の一方の端部に枢支ピンが軸支され、クランプ蓋が該枢支ピンを介して該クランプ本体に対し開閉可能に軸支され、
該鋼管クランプのクランプ本体の外側に、該シート用フックが固定され、該クランプ蓋を開閉可能に軸支する該枢支ピンと反対側の該クランプ本体の他端部に締付ロッドが枢軸を介して揺動可能に枢支され、該締付ロッドには、長孔を有する該楔部材が該長孔に該締付ロッドを嵌挿させて移動可能に設けられ、該締付ロッドの先端には該楔部材を保持する係止部が設けられ、
該クランプ蓋と該クランプ本体間に鋼管を挟み込み、該クランプ蓋を閉じて、該締付ロッドを該クランプ蓋の二股開口部に嵌入した状態で、該楔部材を該クランプ蓋の先端部と該係止部間に打ち込み、該鋼管クランプを鋼管に対し締付固定することを特徴とする。
【０００８】
この考案によれば、仮設足場の側部にメッシュシートを張設する場合、適当な位置の足場鋼管に、鋼管クランプのクランプ本体とクランプ蓋を開いて嵌め込み、それを閉じた状態で、楔部材を打ち込むのみで、シート用クランプは足場鋼管の任意の位置に固定することができる。したがって、その状態で、メッシュシートの周縁部の複数の取付孔を、足場鋼管の適正位置に配置したシート用フックに、引っ掛けて、効率良くメッシュシートを張設することができる。
【０００９】
ここで、上記シート用フックはコ字状に曲折された線材の先端を上側に略直角に曲折して形成することができる。
【００１０】
また、楔部材は、長手方向に沿って長孔が形成されるとともに、該長手方向に沿って傾斜面が形成される構成とすることができる。
【００１１】
さらに、締付ロッドの先端に設けられる係止部は、締付ロッドの先端部のみにねじ部を形成してナットをその先端部にねじ込み、その先端を潰して係止させることができる。
【考案の効果】
【００１２】
本考案のシート用クランプによれば、作業者はハンマーのみを使用してシート用クランプを、足場鋼管の任意の位置に簡単に固定することができ、それらのシートクランプを用いてメッシュシートを足場鋼管の側面に、効率良く張設することができる。
【図面の簡単な説明】
【００１３】
【図１】本考案の一実施形態を示すシート用クランプの正面図である。
【図２】同シート用クランプの平面図である。
【図３】同シート用クランプの側面図である。
【図４】使用形態を示す同シート用クランプの斜視図である。
【図５】シート用クランプを用いて仮設足場の側部にメッシュシートを調整した状態の説明斜視図である。
【考案を実施するための形態】
【００１４】
以下、本考案の一実施形態を図面に基づいて説明する。このシート用クランプは、仮設足場の周囲側部を覆うメッシュシートを、仮設足場の鋼管の側面に沿って張設するためのシート用クランプである。
【００１５】
シート用クランプは、基本的には、図１〜図３に示すように、鋼管クランプ１のクランプ本体２の外側に、シート用フック１１が溶接などで固定され、シート用フック１１は太い線材をコ字状に曲折し、１対の先端部を上側に略直角に曲折して構成され、仮設足場の足場鋼管に固定したシート用クランプのシート用フック１１に、メッシュシートの縁部に設けた取付孔を引っ掛けて、メッシュシートを足場鋼管の側面に張設するものである。
【００１６】
鋼管クランプ１のクランプ本体２は、鋼板をプレスにより曲げ加工して形成され、その両側には、鋼管の外周面の曲率に一致した曲率の円弧状側壁が設けられ、さらにその側壁の一端にはクランプ蓋３を開閉可能に支持する枢支ピン６が軸支される。
【００１７】
一方、クランプ本体２の側壁の他端には、締付ロッド４の基部を枢支する枢軸７が軸支され、締付ロッド４を、枢軸７を軸に所定の角度範囲で回動可能に支持している。また、締付ロッド４の先端部には楔部材１０を係止するための係止部５が固定される。この係止部５は、例えば、ナットから構成され、締付ロッド４の先端部にねじ部を形成し、そのねじ部にナットをねじ込み、その状態で、ねじ部の先端を潰すことにより、ナットを締付ロッド４の先端に簡単に固定することができるようになっている。
【００１８】
このナットからなる係止部５は、楔部材１０の打ち込みにより鋼管クランプ１を鋼管に緊締する際、楔部材１０の一面が当接して係止される部分である。
【００１９】
鋼管クランプ１のクランプ蓋３は、鋼板をプレスにより曲げ加工して形成され、その両側には、鋼管の外周面の曲率に一致する曲率の円弧状側壁が設けられる。さらに、クランプ蓋３の側壁の一端には枢支部が設けられ、この枢支部には上記枢支ピン６が貫通し、クランプ蓋３はクランプ本体２に対し枢支ピン６を軸に開閉可能に支持されている。
【００２０】
クランプ蓋３の先端部には、図１に示すように、二股状に開口する二股開口部３ａが形成され、その二股開口部３ａに、上記クランプ本体２の一端に揺動自在に枢支された締付ロッド４が、進入可能となっている。また、締付ロッド４には、楔部材１０が、その長手方向に設けた長孔１０ａに締付ロッド４を挿通させて、移動可能に取り付けられる。楔部材１０は、図１，３に示すように、細長く長尺形状に形成され、その一面に楔機能を出すための傾斜面１０ｂが長手方向に沿って形成される。さらに楔部材１０には、その長手方向に沿って長孔１０ａが形成され、長孔１０ａに締付ロッド４を緩く挿通させた形態で、楔部材１０は締付ロッド４上を移動可能に取り付けられている。
【００２１】
一方、クランプ蓋３の二股開口部３ａの外側には、楔部材１０の傾斜面１０ｂが摺接する摺接部３ｂが平坦部として形成され、鋼管の外周部に鋼管クランプ１をはめ込み、クランプ蓋３を閉じて、締付ロッド４をクランプ蓋３の二股開口部３ａ内に挿入し、楔部材１０をクランプ蓋３と係止部５間に進入させた状態で、楔部材１０を下に打ち込むことにより、楔部材１０の楔作用によって、クランプ蓋３はクランプ本体２に対し、締め付けることができる構造となっている。
【００２２】
上記構成のシート用クランプは、図４、５に示すように、建築工事現場、土木工事現場などで使用される仮設足場の周囲側部を覆うメッシュシートＭＳを張設するために使用され、その鋼管クランプ１は、仮設足場における縦の鋼管Ｋの任意に位置に固定される。
【００２３】
メッシュシートＭＳを張設しようとする縦の鋼管Ｋにシート用クランプを固定する場合、その鋼管クランプ１のクランプ本体２とクランプ蓋３との間に鋼管Ｋを挟持するように挿入し、その状態で締付ロッド４の先端部付近をクランプ蓋３の二股開口部３ａに入れるようにはめ込む。
【００２４】
なお、メッシュシートＭＳの端部を引っ掛ける箇所が、メッシュシートの上端部の場合、図４のように、シート用フック１１を上向きした状態で、鋼管クランプ１を鋼管Ｋにはめ込むが、メッシュシートの下部を引っ掛ける場合には、図４とは逆向き、つまりシート用フック１１を下向きにした状態で、鋼管クランプ１を鋼管Ｋにはめ込むこととなる。また、シート用フック１１が仮設足場の鋼管Ｋの外側を向くように鋼管クランプ１を取り付けることになる。
【００２５】
そして、図４のように、楔部材１０を上から下に打ち込むと、楔部材１０が係止部５とクランプ蓋３の摺接部３ｂとの間でその傾斜面１０ｂを摺動させながら進入し、これにより、クランプ蓋３が締め付けられ、鋼管Ｋはクランプ本体２とクランプ蓋３間で締め付けられ、鋼管クランプ１は鋼管Ｋに対し固定される。なお、楔部材１０は締付ロッド４の回りを自在に回動可能のため、シート用フック１１を下向きにした状態で、鋼管クランプ１を鋼管Ｋにはめ込む場合でも、楔部材１０を上から下に打ち込めば、鋼管クランプ１を固定することができる。
【００２６】
図５のように、建築物の周囲を囲うように仮設足場が組まれている場合、その足場鋼管の側部に沿ってメッシュシートＭＳを張設するように、複数のシート用クランプがメッシュシートＭＳの縁部がくる鋼管Ｋの任意の位置に固定される。
【００２７】
そして、この後、メッシュシートＭＳの縁部に設けられた取付孔を、シート用クランプのシート用フック１１に引っ掛け、メッシュシートＭＳを仮設足場の側部に張設することとなる。なお、水平横方向の鋼管Ｋに対するメッシュシートＭＳの掛け止めは、針金等を使用して行うことができるが、鋼管クランプのクランプ本体の外側にシート用フックを上記とは９０度回して固定した水平横方向鋼管用のシート用クランプを用いて止めることもできる。
【００２８】
このように、作業者は、ハンマーなどで楔部材１０を打ち込むのみで、シート用クランプを鋼管Ｋの任意の位置に固定することができるので、メッシュシートＭＳを張設しようとする周辺位置の鋼管Ｋに、シート用クランプの鋼管クランプ１を固定して、メッシュシートＭＳを引っ掛けるのみで、メッシュシートを効率良く簡便に張設することができる。
【符号の説明】
【００２９】
１      鋼管クランプ
２      クランプ本体
３      クランプ蓋
３ａ    二股開口部
３ｂ    摺接部
４      締付ロッド
５      係止部
６      枢支ピン
７      枢軸
１０    楔部材
１０ａ  長孔
１０ｂ  傾斜面
１１    シート用フック
【図１】
0003174890.tif 000003
【図２】
0003174890.tif 000004
【図３】
0003174890.tif 000005
【図４】
0003174890.tif 000006
【図５】
0003174890.tif 000007